(57)【要約】【課題】  本発明が目的とするところは、録画状態及びその再生状態を直観的に表示できる映像処理装置及びそのＵＩ提供方法を提供することにある。【解決手段】  映像処理装置が開示される。映像処理装置は、放送データを受信する受信部と、受信された放送データを処理する信号処理部と、録画機能が開始されると、処理された放送データを保存する保存部と、ユーザインターフェースを提供するための出力部及び録画機能が開始されると、保存部の録画可能なスペース及び録画可能なスペース対比録画進行スペースに対する情報を含むユーザインターフェースを提供するように出力部を制御する制御部とを含む。これにより、録画機能を利用する際に、ユーザの便宜性を図ることができるようになる。【選択図】図１
2012065315.tif 000002
【特許請求の範囲】
【請求項１】
映像処理装置において、
放送データを受信する受信部と、
前記受信された放送データを処理する信号処理部と、
録画機能が開始されると、前記処理された放送データを保存する保存部と、
ユーザインターフェースを提供するための出力部と、
前記録画機能が開始されると、前記保存部の録画可能なスペース及び前記録画可能なスペース対比録画進行スペースに対する情報を含むユーザインターフェースを提供するように前記出力部を制御する制御部と、
を含む映像処理装置。
【請求項２】
前記保存部は、
タイムシフト（ｔｉｍｅ  ｓｈｉｆｔ）機能を提供するサーキュラーバッファ（ｃｉｒｃｕｌａｒ  ｂｕｆｆｅｒ）領域を含み、
前記制御部は、
前記タイムシフト機能に対するユーザインターフェースをアナログ時計の形態で提供するように前記出力部を制御することを特徴とする請求項１に記載の映像処理装置。
【請求項３】
前記タイムシフト機能に対するユーザインターフェースは、
タイムシフト可能領域に対する時間情報と、前記サーキュラーバッファ領域の保存レベル及び前記サーキュラーバッファ領域中の現在再生位置のうち、少なくともいずれか一つは表示することを特徴とする請求項２に記載の映像処理装置。
【請求項４】
前記タイムシフト機能に対するユーザインターフェースは、
前記タイムシフト可能領域を前記アナログ時計の形態上に二つの半径と一つの弧とを有する扇形の図形で表示し、前記二つの半径のうち一方はタイムシフト機能が開始された時間を示し、他方は前記タイムシフト機能が開始された時間を基準にタイムシフト機能が可能な時間を示すように表示することを特徴とする請求項３に記載の映像処理装置。
【請求項５】
前記タイムシフト機能に対するユーザインターフェースは、
前記サーキュラーバッファ領域の保存レベルを前記扇形の全領域対比現在保存レベルに対応するサブ扇形領域で表示し、当該サブ扇形領域は残りの保存可能領域と区別できるように、予め設定された色で表示することを特徴とする請求項４に記載の映像処理装置。
【請求項６】
前記タイムシフト機能に対するユーザインターフェースは、
前記サーキュラーバッファ領域中の現在再生位置を前記扇形の図形上に時針または分針の形態で表示することを特徴とする請求項５に記載の映像処理装置。
【請求項７】
前記制御部は、
前記スペースを時間単位で表示し、現在録画が進んでいる放送番組情報と、前記保存部に残っている録画可能な時間と、既に録画が完了している時間と、現在録画設定されている時間、及び、前記現在録画設定されている時間を除く残りの録画可能な時間のうち、少なくともいずれか一つを表示するユーザインターフェースを提供するように前記出力部を制御することを特徴とする請求項１ないし６のうちいずれか一項に記載の映像処理装置。
【請求項８】
前記ユーザインターフェースは、
前記時間情報をバー（ｂａｒ）形態で表示し、前記現在録画設定されている時間が前記録画可能な時間を超える場合、前記バーの色が既存の色と区別できるように表示し、録画可能な時間を超える時間だけマイナス（−）で表示することを特徴とする請求項７に記載の映像処理装置。
【請求項９】
前記ユーザインターフェースは、
前記時間情報をバー（ｂａｒ）形態で表示し、前記現在録画設定されている時間が前記録画可能な時間を超える場合、現在設定されている録画動作を再設定または維持するための問い合わせウィンドウを提供することを特徴とする請求項７または８に記載の映像処理装置。
【請求項１０】
前記ユーザインターフェースは、
前記時間情報をバー（ｂａｒ）形態で表示し、予め設定された録画動作が進む途中に新しい録画命令が入力される場合、既に録画が完了している時間領域を現在録画が進んでいる時間領域と区別できるように表示することを特徴とする請求項７に記載の映像処理装置。
【請求項１１】
前記ユーザインターフェースは、
前記保存部のスペースを時間及び容量のうち、少なくともいずれか一つの単位で表示することを特徴とする請求項１ないし６のうちいずれか一項に記載の映像処理装置。
【請求項１２】
映像処理装置のＵＩ（Ｕｓｅｒ  Ｉｎｔｅｒｆａｃｅ）提供方法において、
放送データを受信するステップと、
前記受信された放送データを処理するステップと、
録画機能が開始されると、前記処理された放送データを保存部に保存するステップと、
前記録画機能が開始されると、前記保存部の録画可能なスペース及び前記録画可能なスペース対比録画進行スペースに対する情報を含むユーザインターフェースを提供するステップと
を含むＵＩ提供方法。
【請求項１３】
前記保存部は、
タイムシフト（ｔｉｍｅ  ｓｈｉｆｔ）機能を提供するサーキュラーバッファ（ｃｉｒｃｕｌａｒ  ｂｕｆｆｅｒ）領域を含み、
前記ユーザインターフェースを提供するステップは、
前記タイムシフト（ｔｉｍｅ  ｓｈｉｆｔ）機能に対するユーザインターフェースをアナログ時計の形態で提供することを特徴とする請求項１２に記載のＵＩ提供方法。
【請求項１４】
前記タイムシフト機能に対するユーザインターフェースは、
タイムシフト可能領域に対する時間情報と、前記サーキュラーバッファ領域の保存レベル及び前記サーキュラーバッファ領域中の現在再生位置のうち、少なくともいずれか一つは表示することを特徴とする請求項１３に記載のＵＩ提供方法。
【請求項１５】
前記タイムシフト機能に対するユーザインターフェースは、
前記タイムシフト可能領域を前記アナログ時計の形態上に二つの半径と一つの弧とを有する扇形の図形で表示し、前記二つの半径のうち一方はタイムシフト機能が開始された時間を示し、他方は前記タイムシフト機能が開始された時間を基準にタイムシフト機能が可能な時間を示すように表示することを特徴とする請求項１４に記載のＵＩ提供方法。
【発明の詳細な説明】
【技術分野】
【０００１】
本発明は、映像処理装置及びそのＵＩ提供方法に関し、より詳細には、録画の可能な映像処理装置及びそのＵＩ提供方法に関する。
【背景技術】
【０００２】
最近のデジタル放送技術の発展に伴い、デジタル放送を録画して再生できるパーソナルビデオ録画機器であるＰＶＲ（Ｐｅｒｓｏｎａｌ  Ｖｉｄｅｏ  Ｒｅｃｏｒｄｅｒ）が登場している。
【０００３】
ＰＶＲは、マグネチックテープに映像信号を保存するＶＣＲ（Ｖｉｄｅｏ  Ｃａｓｓｅｔｔｅ  Ｒｅｃｏｒｄｅｒ）とは違って、ハードディスクに情報を記録して再生する新しい概念のデジタル録画機器である。このパーソナルビデオ録画機器は、セットトップボックスやテレビ本体に内蔵されたハードディスクドライブを通じて、ＶＣＲを使わなくても、容量に応じて一定時間の分量の放送番組を録画することができる。
【０００４】
従って、個人的な選択や好みに応じて番組視聴スケジュールを組むことができ、視聴者にとってはテレビより統制力を発揮することができる。即ち、視聴者は、放送局が予め組んでおいた番組表に関係なく、自分が見たいときに見たい番組を楽しむことができる。
【０００５】
一方、このようなＰＶＲは、ユーザの便宜のために、ボタンを一回押すことで録画が開始されるものが一般的である。
【０００６】
この場合、録画終了時点は、ＰＶＲ（Ｐｅｒｓｏｎａｌ  Ｖｉｄｅｏ  Ｒｅｃｏｒｄｅｒ）の基本設定によって異なっており、これをＵＩに明示的に示さなければユーザが録画終了時点を明確に認知することができなくなってしまう。
【０００７】
なお、一般的なＵＩでは、録画開始の後、ユーザが録画番組や録画時間を直接指定するために、別のＵＩを通じて設定しなければならないため、不便であった。
【０００８】
なお、タイムシフト機能が適用される場合にも、タイムシフトバッファ領域の再生位置を明確に表示するためのＵＩが不在であるという問題があった。
【先行技術文献】
【特許文献】
【０００９】
【特許文献１】日本特開第２００４−３５００６０号公報
【特許文献２】日本特開第２００３−３３３０３０号公報
【特許文献３】日本特開第２００９−０９４２５５号公報
【特許文献４】日本特開第２００２−１０１３７４号公報
【発明の概要】
【発明が解決しようとする課題】
【００１０】
従って、本発明の目的とするところは、録画状態及びその再生状態を直観的に表示できる映像処理装置及びそのＵＩ提供方法を提供することにある。
【課題を解決するための手段】
【００１１】
前記目的を達成するための本発明の係る映像処理装置は、放送データを受信する受信部と、前記受信された放送データを処理する信号処理部と、録画機能が開始されると、前記処理された放送データを保存する保存部と、ユーザインターフェースを提供するための出力部及び前記録画機能が開始されると、前記保存部の録画可能なスペース及び前記録画可能なスペース対比録画進行スペースに対する情報を含むユーザインターフェースを提供するように前記出力部を制御する制御部とを含む。
【００１２】
なお、前記保存部は、タイムシフト（ｔｉｍｅ  ｓｈｉｆｔ）機能を提供するサーキュラーバッファ（ｃｉｒｃｕｌａｒ  ｂｕｆｆｅｒ）領域を含み、前記制御部は、前記タイムシフト機能に対するユーザインターフェースをアナログ時計の形態で提供するように前記出力部を制御してよい。
【００１３】
なお、前記タイムシフト機能に対するユーザインターフェースは、タイムシフト可能領域に対する時間情報と、前記サーキュラーバッファ領域の保存レベル及び前記サーキュラーバッファ領域中の現在再生位置のうち、少なくともいずれか一つは表示してよい。
【００１４】
なお、前記タイムシフト機能に対するユーザインターフェースは、前記タイムシフト可能領域を前記アナログ時計の形態上に二つの半径と一つの弧とを有する扇形の図形で表示し、前記二つの半径のうち一方はタイムシフト機能が開始された時間を示し、他方は前記タイムシフト機能が開始された時間を基準にタイムシフト機能が可能な時間を示すように表示してよい。
【００１５】
なお、前記タイムシフト機能に対するユーザインターフェースは、前記サーキュラーバッファ領域の保存レベルを前記扇形の全領域対比現在保存レベルに対応するサブ扇形領域で表示し、当該サブ扇形領域は残りの保存可能領域と区別できるように、予め設定された色で表示してよい。
【００１６】
なお、前記タイムシフト機能に対するユーザインターフェースは、前記サーキュラーバッファ領域中の現在再生位置を前記扇形の図形上に時針または分針の形態で表示してよい。
【００１７】
なお、前記制御部は、前記スペースを時間単位で表示し、現在録画が進んでいる放送番組情報と、前記保存部に残っている録画可能な時間と、既に録画が完了している時間と、現在録画設定されている時間、及び、前記現在録画設定されている時間を除く残りの録画可能な時間のうち、少なくともいずれか一つを表示するユーザインターフェースを提供するように前記出力部を制御してよい。
【００１８】
なお、前記ユーザインターフェースは、前記時間情報をバー（ｂａｒ）形態で表示し、前記現在録画設定されている時間が前記録画可能な時間を超える場合、前記バーの色が既存の色と区別できるように表示し、録画可能な時間を超える時間だけマイナス（−）で表示してよい。
【００１９】
ここで、前記ユーザインターフェースは、前記時間情報をバー（ｂａｒ）形態で表示し、前記現在録画設定されている時間が前記録画可能な時間を超える場合、現在設定されている録画動作を再設定または維持するための問い合わせウィンドウを提供してよい。
【００２０】
なお、前記ユーザインターフェースは、前記時間情報をバー（ｂａｒ）形態で表示し、予め設定された録画動作が進む途中に新しい録画命令が入力される場合、既に録画が完了している時間領域を現在録画が進んでいる時間領域と区別できるように表示してよい。
【００２１】
なお、前記ユーザインターフェースは、前記保存部のスペースを時間及び容量のうち、少なくともいずれか一つの単位で表示してよい。
【００２２】
一方、本発明の一実施形態に係る映像処理装置のＵＩ（Ｕｓｅｒ  Ｉｎｔｅｒｆａｃｅ）提供方法は、放送データを受信するステップと、前記受信された放送データを処理するステップと、録画機能が開始されると、前記処理された放送データを保存部に保存するステップと、前記録画機能が開始されると、前記保存部の録画可能なスペース及び前記録画可能なスペース対比録画進行スペースに対する情報を含むユーザインターフェースを提供するステップとを含む。
【００２３】
なお、前記保存部は、タイムシフト（ｔｉｍｅ  ｓｈｉｆｔ）機能を提供するサーキュラーバッファ（ｃｉｒｃｕｌａｒ  ｂｕｆｆｅｒ）領域を含み、前記ユーザインターフェースを提供するステップは、前記タイムシフト（ｔｉｍｅ  ｓｈｉｆｔ）機能に対するユーザインターフェースをアナログ時計の形態で提供してよい。
【００２４】
なお、前記タイムシフト機能に対するユーザインターフェースは、タイムシフト可能領域に対する時間情報と、前記サーキュラーバッファ領域の保存レベル及び前記サーキュラーバッファ領域中の現在再生位置のうち、少なくともいずれか一つは表示してよい。
【００２５】
なお、前記タイムシフト機能に対するユーザインターフェースは、前記タイムシフト可能領域を前記アナログ時計の形態上に二つの半径と一つの弧とを有する扇形の図形で表示し、前記二つの半径のうち一方はタイムシフト機能が開始された時間を示し、他方は前記タイムシフト機能が開始された時間を基準にタイムシフト機能が可能な時間を示すように表示してよい。
【００２６】
なお、前記タイムシフト機能に対するユーザインターフェースは、前記サーキュラーバッファ領域の保存レベルを前記扇形の全領域対比現在保存レベルに対応するサブ扇形領域で表示し、当該サブ扇形領域は残りの保存可能領域と区別できるように、予め設定された色で表示してよい。
【００２７】
なお、前記タイムシフト機能に対するユーザインターフェースは、前記サーキュラーバッファ領域中の現在再生位置を前記扇形の図形上に時針または分針の形態で表示してよい。
【００２８】
なお、前記ユーザインターフェースを提供するステップは、前記スペースを時間単位で表示し、現在録画が進んでいる放送番組情報と、前記保存部に残っている録画可能な時間と、既に録画が完了している時間と、現在録画設定されている時間、及び、前記現在録画設定されている時間を除く残りの録画可能な時間のうち、少なくともいずれか一つを表示するユーザインターフェースを提供してよい。
【００２９】
なお、前記ユーザインターフェースは、前記時間情報をバー（ｂａｒ）形態で表示し、前記現在録画設定されている時間が前記録画可能な時間を超える場合、前記バーの色が既存の色と区別できるように表示し、録画可能な時間を超える時間だけマイナス（−）で表示してよい。
【００３０】
なお、前記ユーザインターフェースは、前記時間情報をバー（ｂａｒ）形態で表示し、予め設定された録画動作が進む途中に新しい録画命令が入力される場合、既に録画が完了している時間領域を現在録画が進んでいる時間領域と区別できるように表示してよい。
【発明の効果】
【００３１】
これにより、ユーザは録画機能を利用する際、録画状態及び再生状態に対する直観的な認識を提供されることができるようになる。
【図面の簡単な説明】
【００３２】
【図１】本発明の一実施形態に係る映像処理装置の構成を示すブロック図である。
【図２Ａ】本発明の一実施形態に係るＵＩ提供形態を説明するための図である。
【図２Ｂ】本発明の一実施形態に係るＵＩ提供形態を説明するための図である。
【図２Ｃ】本発明の一実施形態に係るＵＩ提供形態を説明するための図である。
【図２Ｄ】本発明の一実施形態に係るＵＩ提供形態を説明するための図である。
【図３Ａ】本発明の別の実施形態に係るＵＩ提供方法を説明するための図である。
【図３Ｂ】本発明の別の実施形態に係るＵＩ提供方法を説明するための図である。
【図３Ｃ】本発明の別の実施形態に係るＵＩ提供方法を説明するための図である。
【図３Ｄ】本発明の別の実施形態に係るＵＩ提供方法を説明するための図である。
【図３Ｅ】本発明の別の実施形態に係るＵＩ提供方法を説明するための図である。
【図４Ａ】本発明の別の実施形態に係るＵＩ提供方法を説明するための図である。
【図４Ｂ】本発明の別の実施形態に係るＵＩ提供方法を説明するための図である。
【図４Ｃ】本発明の別の実施形態に係るＵＩ提供方法を説明するための図である。
【図５】本発明の別の実施形態に係るＵＩ提供画面を説明するための図である。
【図６】本発明の一実施形態に係るＵＩ提供方法を説明するためのフローチャートである。
【発明を実施するための形態】
【００３３】
以下に添付図面を参照しながら、本発明の好適な実施の形態について詳細に説明する。
【００３４】
図１は、本発明の一実施形態に係る映像処理装置の構成を示すブロック図である。
【００３５】
受信部１１０は、外部から放送番組を受信する。
【００３６】
受信部１１０は、チューナー（図示せず）を介して有線または無線で受信される放送信号のうちいずれか一つを選局する形態で実現できる。または、受信部１１０は、外部入力部（図示せず）を介して接続された外部機器（例えば、外部セットトップボックス）から放送信号を受信するように実現することも可能である。
【００３７】
信号処理部１２０は、受信部１１０を介して受信された放送信号を印加され、印加された放送信号に対して、デコーディング、スケーリングなどの信号処理を行なう。
【００３８】
なお、信号処理部１２０は、印加された放送信号に含まれた付加情報を抽出して後述の制御部１５０に伝達してよい。この付加情報には、ＥＰＧ（Ｅｌｅｃｔｒｏｎｉｃ  Ｐｒｏｇｒａｍ  Ｇｕｉｄｅ）などの情報が含まれている。
【００３９】
保存部１３０は、予め設定された保存容量を備え、録画機能が開始されると受信された放送データを保存することができる。ここで、録画機能はユーザ命令または予め設定されたオプションなどに従って開始されてよい。
【００４０】
具体的に、保存部１３０は信号処理部１２０から出力される放送を記録媒体に録画する。記録媒体として、ＨＤＤ（Ｈａｒｄ  Ｄｉｓｋ  Ｄｒｉｖｅ）のような磁気記録媒体、メモリカードやフラッシュメモリのような半導体記録媒体であってよく、ＤＶＤ（Ｄｉｇｉｔａｌ  Ｖｅｒｓａｔｉｌｅ  Ｄｉｓｋ）のような光記録媒体であってよい。
【００４１】
記録媒体には、放送が録画または仮録画されることができる。録画とは、ユーザが録画命令した放送番組を録画するものであって、仮録画とは、タイムシフト再生のための一定分量の放送番組を仮に録画するものであるということで、両者は区別できる。即ち、仮録画はユーザが現在視聴時点を変更できるようにするために行なう録画に相当する。
【００４２】
なお、保存部１３０は、記録媒体に録画または仮録画された放送を再生することができる。
【００４３】
出力部１４０は、信号処理部１２０から出力される放送を内部ディスプレイまたは外部ディスプレイに出力する。具体的に、i）内部ディスプレイへの出力はディスプレイ駆動部（図示せず）が放送をディスプレイ部（図示せず）に表示する過程によって行なわれ、ii）外部ディスプレイへの出力は外部出力部（図示せず）が放送を外部ディスプレイ（例えば、外部テレビ）に伝達する過程によって行なわれる。
【００４４】
特に、出力部１４０は、保存部１３０に保存された放送データの再生状態及び録画状態のうち、少なくともいずれか一つを示すユーザインターフェースを提供することができる。ここで、ユーザインターフェースは、ＯＳＤ（Ｏｎ  Ｓｃｒｅｅｎ  Ｄｉｓｐｌａｙ）の形態で提供されてよい。
【００４５】
これにより、本映像処理装置１００は、ＯＳＤ処理部（図示せず）を更に含んでよい。ＯＳＤ処理部（図示せず）は表示される映像に、保存部１３０に保存された放送データの再生状態及び録画状態のうち、少なくともいずれか一つを示すユーザインターフェースをＯＳＤの形態で提供することができる。
【００４６】
なお、ＯＳＤ処理部（図示せず）は、制御部１５０の制御によりＯＳＤ画面の２Ｄ／３Ｄ、透明度、色、大きさ、形態及び位置調整、ハイライト、アニメーション効果などの作業を行なうことができる。
【００４７】
制御部１５０は、本映像処理装置の全体的な動作を制御、即ち、上述の各機能部の動作を制御することができる。
【００４８】
特に、制御部１５０は、受信された放送データの録画機能及び再生機能を制御することができる。
【００４９】
なお、制御部１５０は録画機能が開始されると、保存部１３０の録画可能なスペース及び録画可能なスペース対比録画が進められたスペースに対する情報を含むユーザインターフェースを提供するように出力部１４０を制御することができる。この場合、ユーザインターフェースはディスプレイ画面の一領域に表示されるように提供してよい。
【００５０】
一方、本発明の一実施形態によると、制御部１３０はタイムシフト（ｔｉｍｅ  ｓｈｉｆｔ）機能を提供するサーキュラーバッファ（ｃｉｒｃｕｌａｒ  ｂｕｆｆｅｒ）領域を含むことができ、制御部１５０は各機能部を制御してタイムシフト機能を提供することができる。
【００５１】
タイムシフト機能とは、現在放送時点より以前の時点の放送（即ち、既に終わっている放送）が再生されるようにすることで、ユーザが現在放送時点より以前の時点の放送を視聴できるようにする機能である。
【００５２】
このようなタイムシフト機能は、一定分量（時間）の放送を仮に録画して一定分量（時間）の以前の放送を確保することで、提供ができるようになる。
【００５３】
例えば、タイムシフト機能を用いると、現在放送されている信号が自動的にハードディスクにデジタルで保存され、同時に画面に再生される。従って、「一時停止」のボタンを押してから、再び「再生」のボタンを押すと、保存された放送信号が止まった時点から再生される。なお。現在放送されている番組をもう一度見たり、スローモーションで再生することができ、つまらないと思うところ飛ばすこともできるなど、所望する部分を探し当て視聴することができるようになる。
【００５４】
制御部１５０は、このようなタイムシフト機能に対するユーザインターフェースをアナログ時計の形態で提供するように、出力部１４０を制御することができる。
【００５５】
ここで、タイムシフト機能に対するユーザインターフェースは、タイムシフト可能領域に対する時間情報と、サーキュラーバッファ領域の保存レベル及びサーキュラーバッファ領域中の現在再生位置のうち、少なくともいずれか一つを含む形態であってよい。
【００５６】
なお、タイムシフト機能に対するユーザインターフェースは、タイムシフト可能領域をアナログ時計の形態上に二つの半径と一つの弧とを有する扇形の図形で表示してよい。この場合、二つの半径のうち一方はタイムシフト機能が開始された時間を示し、他方は前記タイムシフト機能が開始された時間を基準にタイムシフト機能が可能な時間を示すように表示してよい。
【００５７】
なお、タイムシフト機能に対するユーザインターフェースは、サーキュラーバッファ領域の保存レベルを扇形の全領域対比現在保存レベルに対応するサブ扇形領域で表示し、当該サブ扇形領域は残りの保存可能領域と区別できるように、予め設定された色で表示してよい。
【００５８】
なお、タイムシフト機能に対するユーザインターフェースは、サーキュラーバッファ領域中の現在再生位置を前記扇形の図形上に時針または分針の形態で表示してよい。
【００５９】
なお、制御部１５０は、保存部１３０の録画可能なスペース及び録画可能なスペース対比録画進行スペースを時間及び容量単位のうち、少なくともいずれか一つで表示するように制御してよい。
【００６０】
具体的に、制御部１５０は現在録画が進んでいる放送番組情報、前記保存部に残っている録画可能な時間、既に録画が完了している時間、現在録画設定されている時間及び前記現在録画設定されている時間を除く残りの録画可能な時間のうち、少なくともいずれか一つを表示するユーザインターフェースを提供してよい。
【００６１】
ここで、ユーザインターフェースは、上述の多様な時間情報をバー（ｂａｒ）形態で表示してよい。
【００６２】
具体的に、前記保存部に残っている録画可能な時間、既に録画が完了している時間、現在録画設定されている時間及び前記現在録画設定されている時間を除く残りの録画可能な時間などを、それぞれ異なる色で表示してよい。
【００６３】
例えば、現在録画設定されている時間が録画可能な時間を超える場合、バーの色が既存の色と区別できるように表示してよい。なお、録画可能な時間を超える時間だけマイナス（−）で表示してよい。
【００６４】
なお、ユーザインターフェースは、現在設定されている録画時間が録画可能な時間を超える場合、現在設定されている録画動作を再設定または維持するための問い合わせウィンドウを提供することができる。
【００６５】
なお、ユーザインターフェースは、予め設定された録画動作が進む途中に新しい録画命令が入力される場合、既に録画が完了している時間領域を現在録画が進んでいる時間領域と区別できるように表示してよい。
【００６６】
一方、本映像処理装置１００は、図には示されていないが、スイッチング部（図示せず）を更に含んでよい。スイッチング部（図示せず）は信号処理部１２０から出力される放送または保存部１３０で再生される放送が出力部１４０に選択的に出力されるように、スイッチング動作を行なうことができる。スイッチング部（図示せず）のスイッチング動作は上述の制御部１５０の制御によるものである。
【００６７】
例えば、現在視聴時点が現在放送時点である場合（即ち、ユーザが現在受信されている放送を視聴する場合）、スイッチング部（図示せず）は信号処理部１２０から出力される放送が出力部１４０に出力されるようにスイッチング動作することができる。一方、現在視聴時点が以前放送時点である場合（即ち、ユーザが以前に受信された放送を視聴する場合）、スイッチング部（図示せず）は保存部１３０で再生される仮保存された放送が出力部１４０に出力されるように、スイッチング動作することができる。
【００６８】
図２Ａないし図２Ｄは、本発明の一実施形態に係るＵＩ提供形態を説明するための図である。
【００６９】
ユーザが放送番組の視聴途中に録画機能を行なう場合、図２Ａに示すようなＵＩが提供される。ここで、ＵＩはＯＳＤ（Ｏｎ  Ｓｃｒｅｅｎ  Ｄｉｓｐｌａｙ）の形態で提供されてよい。
【００７０】
図２Ａによると、ＵＩウィンドウは、録画進行状態を示す領域（Ａ）、放送番組情報を示す領域（Ｂ）、放送番組時間を示す領域（Ｃ）、録画情報を示す領域（Ｄ）及びキー領域（Ｅ）を含んでよい。
【００７１】
録画進行状態を示す領域（Ａ）
録画進行状態を示す領域（Ａ）は、現在録画が開始されたことを示したり（Ｒｅｃｏｒｄｉｎｇ  ｓｔａｒｔｅｄ）、現在録画が進行中（Ｒｅｃｏｒｄｉｎｇ）であることを示すことができる。
【００７２】
放送番組情報を示す領域（Ｂ）
放送番組情報を示す領域（Ｂ）は現在選択可能な放送番組情報、例えば、放送番組のタイトル、放送時間などを含む形態であってよい。例えば、録画機能が行なわれると、最初はフォーカスが放送番組情報を示す領域（Ｂ）上に位置してよい。
【００７３】
放送番組時間を示す領域（Ｃ）
放送番組時間を示す領域（Ｃ）は、放送番組情報を示す領域（Ｂ）に示された放送番組が終了するまでの時間を示すことができる。例えば、現在録画が進んでいる放送番組の放送時間（例えば、１２０分）を含む形態であってよい。
【００７４】
録画情報を示す領域（Ｄ）
録画情報を示す領域（Ｄ）は、現在設定されている録画時間（Ｗｉｌｌ  ｂｅ  ｒｅｃｏｒｄｅｄ）及び現在設定されている録画時間を除く録画可能な時間（Ａｖａｉｌａｂｌｅ  ｔｉｍｅ）を示してよい。この場合、現在設定されている録画時間及び現在設定されている録画時間を除く録画可能な時間をバー（ｂａｒ）形態で提供してよい。
【００７５】
現在設定されている録画時間及び現在設定されている録画時間を除く録画可能な時間は、保存部の残りスペースと現在放送中の番組情報を用いて提供できる。
【００７６】
なお、現在設定されている録画時間及び現在設定されている録画時間を除く録画可能な時間は、互いに異なる色で提供されてよい。例えば、現在設定されている録画時間は緑色のバーで表示され、現在設定されている録画時間を除く録画可能な時間は白のバーで表示されてよい。
【００７７】
図２Ａに録画情報を示す領域（Ｄ）を参考にすると、現在設定されている録画時間（Ｗｉｌｌ  ｂｅ  ｒｅｃｏｒｄｅｄ）は１２０分であり、現在設定されている録画時間を除く録画可能な時間（Ａｖａｉｌａｂｌｅ  ｔｉｍｅ）は２１０分であることが確認できる。
【００７８】
キー領域（Ｅ）
キー領域（Ｅ）は、多様なキー機能を表示することができる。例えば、図２Ａに示された各領域を選択／調整するための四方向（Ａｄｊｕｓｔ）キー、現在設定を保存してバナーを閉じるためのエンター（Ｅｎｔｅｒ）キー、以前の設定に戻したりバナーが開始される前の設定に戻してバナーを閉じるためのリターン（Ｒｅｔｕｒｎ）キーを含んでよい。
【００７９】
ここで、四方向キーは、フォーカスに関係なく常に入力できるように実現できる。なお、左右キーを押すと番組ボックス（Ｂ）、上下キーを押すと時間ボックス（Ｃ）がフォーカスになるように実現できる。なお、左右キーを調整して録画する番組を選択することができる。例えば、現在番組から選択した番組まで録画できる。なお、上下キーを調整して時間を選択することができる。
【００８０】
一方、番組ボックス（Ｂ）と時間ボックス（Ｃ）に表示される情報とは、互いに影響を与え合うように実現されてよい。例えば、番組が変更されると、これに応じて時間も変更されるように実現できる。
【００８１】
一方、直ちに録画機能が立ち上がると、デフォルト（Ｄｅｆａｕｌｔ）で現在番組まで録画するように設定されてよい。
【００８２】
図２Ｂは、現在録画設定時間が録画可能時間を超えた場合のバナーの形態を示す図である。
【００８３】
図２Ｂに示すように、現在録画設定時間（３６０分）が録画可能時間（３３０分）を超えた場合、既存のバーの色と区別できる色で表示されてよい。例えば、一般的な場合、現在設定されている録画時間（Ｗｉｌｌ  ｂｅ  ｒｅｃｏｒｄｅｄ）が緑色のバーで表示されているとしたら、現在録画設定時間が録画可能な時間を超えた場合には赤のバーで表示されてよい。
【００８４】
なお、録画可能時間（Ａｖａｉｌａｂｌｅ  ｔｉｍｅ）は超えた時間だけマイナス（−３０分）で表示されてよい。
【００８５】
図２Ｃは、現在録画設定が録画可能時間を超えた場合、提供される問い合わせウィンドウの形態で示した図である。
【００８６】
図２Ｃによると、現在録画設定が録画可能時間を超えた場合、それをガイドするガイドコメント及びその後の録画方向を設定するためのメニューが提供される。
【００８７】
例えば、「再設定」、「既存録画を削除」、「そのまま進む」などのメニューを提供してユーザがその後の録画方向を再設定するようにすることができる。
【００８８】
図２Ｄは、録画中に新しい録画命令が入力された場合のバナーの形態を示す図である。
【００８９】
ユーザは録画中に新しい録画を行なうために、録画番組及び時間を再設定することができる。
【００９０】
図２Ｄによると、録画進行状態を示す領域（Ａ）は「Ｒｅｃｏｒｄｉｎｇ」で表示されてよい。なお、録画可能時間（Ａｖａｉｌａｂｌｅ  ｔｉｍｅ）、録画された時間（Ｒｅｃｏｒｄｅｄ  ｔｉｍｅ）、現在設定されている録画時間（Ｗｉｌｌ  ｂｅ  ｒｅｃｏｒｄｅｄ）は、それぞれ異なる色で区別できるように表示されてよい。
【００９１】
例えば、録画可能時間（Ａｖａｉｌａｂｌｅ  ｔｉｍｅ）は白で、現在まで録画された時間（Ｒｅｃｏｒｄｅｄ  ｔｉｍｅ）は濃い緑色で、現在設定されている録画時間（Ｗｉｌｌ  ｂｅ  ｒｅｃｏｒｄｅｄ）は緑色で表示されてよい。
【００９２】
一方、上述の実施形態で、バーの色、時間、放送番組などは、説明の便宜のために例として挙げたものに過ぎず、これは多様に設定変更ができることは当業者にとって自明である。
【００９３】
図３Ａないし図３Ｅは、本発明の別の実施形態に係るＵＩ提供方法を説明するための図である。
【００９４】
図３Ａによると、タイムシフト機能に対するユーザインターフェース１０をアナログ時計の形態で提供できる。ここで、タイムシフト機能は、サーキュラーバッファ（ｃｉｒｃｕｌａｒ  ｂｕｆｆｅｒ）を介して提供されてよい。サーキュラーバッファとは、データを循環して記録するバッファとして、データを記録するスペースがそれ以上ない場合、もう一度振り出しに戻ってバッファの最初の部分にデータを記録するようになる。
【００９５】
図３Ａで扇形の形態で表示された領域は、タイムシフト可能領域１１、即ち、タイムシフトバッファの保存スペースになり得る。
【００９６】
図３Ａに示されたように、タイムシフト可能領域を前記アナログ時計の形態上に二つの半径と一つの弧とを有する扇形の図形で表示することができる。示された二つの半径のうち一方はタイムシフト機能が開始された時間を示し、他方は前記タイムシフト機能が開始された時間を基準にタイムシフト機能が可能な時間を示すことができる。示されたように、タイムシフト可能な領域は９０分であってよい。
【００９７】
図３Ｂによると、タイムシフトバッファの保存レベルが色を持つ扇形の形態１２で提供されてよい。示されたように、タイムシフトバッファに約３０分程度のデータが保存されていることが確認できる。
【００９８】
図３Ｃによると、タイムシフトバッファがＦｕｌｌの状態であり、タイムシフトバッファに保存されたデータのうち、現在再生中の時点がライン形態１３、例えば、時針または分針のような形態で表示されてよい。示されたように、１２：３０時点が再生中であることが確認できる。
【００９９】
図３Ｄによると、図３Ｃに示すように、タイムシフトバッファがＦｕｌｌの状態で、バッファの前方に保存されたデータが削除される場合、バッファの前方に新たに詰められるデータ領域１４は、示されたように図３Ａに示されたタイムシフト可能な領域１１に継続する外部領域で表示されてよい。
【０１００】
図３Ｅによると、タイムシフトバッファがＦｕｌｌの状態で、現在再生中の時点１３’が移動したことが確認できる。示されたように、１：３０時点が再生中であることが確認できる。即ち、タイムシフトバッファがＦｕｌｌの状態で、バッファの前方に保存されたデータが削除され、新しいデータが詰められる場合もユーザは保存された再生時点を明確に確認できるようになる。
【０１０１】
なお、場合によっては、アナログ時計上に現在時刻が時針または分針の形態で表示されてよい。この場合、現在時刻を示す時針または分針は、上述の再生時点を示す時針または分針と区別できるように表示されてよい。
【０１０２】
一方、図３Ａないし図３Ｅでは、円形のアナログ時計の形態を例えて説明したが、バナーの形態はこれに限らない。
【０１０３】
例えば、図４Ａないし図４Ｃに示されたように、バナーはドーナッツ形態、多角形形態、四角形態など、アナログ時計の形態を実現できる多様な形態で実現できる。
【０１０４】
図５は、本発明の別の実施形態に係るＵＩ提供画面を説明するための図である。
【０１０５】
図５には、既存のバー形態のタイムシフトバナーに、本発明の一実施形態に係るアナログ時計の形態のタイムシフトバナーが組み合せられた例が示されている。
【０１０６】
タイムシフト機能が活性化されると、映像が再生される画面の一領域にバー形態のタイムシフトバナーとアナログ時計の形態のタイムシフトバナーが同時に表示されることができる。
【０１０７】
図５に示すように、バー形態のタイムシフトバナーでタイムシフトバッファがＦｕｌｌの場合、時間を示す領域２０が固定された状態であってよい。しかし、本発明の一実施形態に係るアナログ時計の形態のタイムシフトバナーは、タイムシフトバッファがＦｕｌｌの場合でもタイムシフト可能領域に対する時間情報、サーキュラーバッファ領域の保存レベル及びサーキュラーバッファ領域中の現在再生位置を表示できるため、ユーザにより直観的なＵＩを提供できるようになる。
【０１０８】
一方、本実施形態では、バー形態のタイムシフトバナーに本発明の一実施形態に係るアナログ時計の形態のタイムシフトバナーが組み合わせられた例を示したが、これは一実施形態に過ぎず、タイムシフト機能が活性化されると、アナログ時計の形態のタイムシフトバナーのみが表示されるように、実現することも可能である。
【０１０９】
図６は、本発明の一実施形態に係るＵＩ提供方法を説明するためのフローチャートである。
【０１１０】
図６によると、映像処理装置のＵＩ（Ｕｓｅｒ  Ｉｎｔｅｒｆａｃｅ）提供方法は、有線放送データを受信すると（Ｓ６１０）、受信された放送データを処理する（Ｓ６２０）。
【０１１１】
次いで、録画機能が開始されると、処理された放送データを保存部に保存する（Ｓ６３０）。
【０１１２】
なお、録画機能が開始されると、保存部の録画可能なスペース及び録画可能なスペース対比録画進行スペースに対する情報を含むユーザインターフェースを提供する（Ｓ６４０）。この場合、保存部のスペースを時間及び容量のうち、少なくともいずれか一つの単位で表示してよい。
【０１１３】
ここで、保存部は、タイムシフト（ｔｉｍｅ  ｓｈｉｆｔ）機能を提供するサーキュラーバッファ（ｃｉｒｃｕｌａｒ  ｂｕｆｆｅｒ）領域を含むように実現できる。
【０１１４】
なお、ユーザインターフェースを提供するステップ（Ｓ６４０）は、タイムシフト（ｔｉｍｅ  ｓｈｉｆｔ）機能に対するユーザインターフェースをアナログ時計の形態で提供できる。
【０１１５】
なお、タイムシフト機能に対するユーザインターフェースは、タイムシフト可能領域に対する時間情報、サーキュラーバッファ領域の保存レベル及びサーキュラーバッファ領域中の現在再生位置のうち、少なくとも一つは表示されてよい。
【０１１６】
なお、タイムシフト機能に対するユーザインターフェースは、タイムシフト可能領域をアナログ時計の形態上に二つの半径と一つの弧とを有する扇形の図形で表示してよい。この場合、二つの半径のうち一方はタイムシフト機能が開始された時間を示し、他方は前記タイムシフト機能が開始された時間を基準にタイムシフト機能が可能な時間を示すことができる。
【０１１７】
なお、タイムシフト機能に対するユーザインターフェースは、サーキュラーバッファ領域の保存レベルを扇形の全領域対比現在保存レベルに対応するサブ扇形領域で表示してよい。この場合、当該サブ扇形領域は残りの保存可能領域と区別できるように、予め設定された色で表示されてよい。
【０１１８】
なお、タイムシフト機能に対するユーザインターフェースは、サーキュラーバッファ領域中の現在再生位置を前記扇形の図形上に時針または分針の形態で表示してよい。
【０１１９】
なお、ユーザインターフェースを提供するステップは、録画可能スペース、録画進行スペースなどを時間単位で表示し、現在録画が進んでいる放送番組情報、保存部に残っている録画可能な時間、既に録画が完了している時間と、現在録画設定されている時間、及び、現在録画設定されている時間を除く残りの録画可能な時間のうち、少なくともいずれか一つを表示するユーザインターフェースを提供してよい。
【０１２０】
この場合、ユーザインターフェースは、時間情報をバー（ｂａｒ）形態で表示してよい。
【０１２１】
なお、現在録画設定されている時間が録画可能な時間を超える場合、バーの色が既存の色と区別できるように表示し、録画可能な時間を超える時間だけマイナス（−）で表示してよい。
【０１２２】
なお、予め設定された録画動作が進む途中に新しい録画命令が入力される場合、既に録画が完了している時間領域を現在録画が進んでいる時間領域と区別できるように表示してよい。
【０１２３】
なお、現在設定されている録画時間が録画可能な時間を超える場合、現在設定されている録画動作を再設定または維持するための問い合わせウィンドウを提供してよい。
【０１２４】
なお、本発明では、上述のように、ディスプレイ装置のＵＩ提供方法を実行するためのプログラムを含むコンピュータ読み取り可能な記録媒体を含んでよい。コンピュータ読み取り可能な記録媒体は、コンピュータシステムによって読み取られるデータが保存される全種類の記録装置を含む。コンピュータ読み取り可能な記録媒体とは、ＲＯＭ、ＲＡＭ、ＣＤ−ＲＯＭ、磁気テープ、フロッピー（登録商標）ディスク、光データ保存装置などがあり、なお、コンピュータ読み取り可能な記録媒体は、ネットワークで接続されたコンピュータシステムに分散され、分散方式でコンピュータが読み取り可能なコードが保存されて実行できる。
【０１２５】
上述のように、本発明によると、ユーザは録画終了時点を明確に認知することができる。
【０１２６】
なお、録画開始と同時に同一のＵＩで録画番組及び録画終了時間を手軽に指定することができる。
【０１２７】
なお、現在接続されている保存装置に録画可能な時間を提供してユーザの録画終了時間の選択に役立てることができる。
【０１２８】
なお、ユーザは録画番組及び録画終了時間を同一のＵＩで変更することができる。
【０１２９】
なお、ユーザがタイムシフト機能を利用する際、録画状態及び再生状態に対する直観的な認識を提供されることができるようになる。
【０１３０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１３１】
１１０  受信部
１２０  信号処理部
１３０  保存部
１４０  出力部
１５０  制御部
【図１】
2012065315.tif 000003
【図２Ａ】
2012065315.tif 000004
【図２Ｂ】
2012065315.tif 000005
【図２Ｃ】
2012065315.tif 000006
【図２Ｄ】
2012065315.tif 000007
【図３Ａ】
2012065315.tif 000008
【図３Ｂ】
2012065315.tif 000009
【図３Ｃ】
2012065315.tif 000010
【図３Ｄ】
2012065315.tif 000011
【図３Ｅ】
2012065315.tif 000012
【図４Ａ】
2012065315.tif 000013
【図４Ｂ】
2012065315.tif 000014
【図４Ｃ】
2012065315.tif 000015
【図５】
2012065315.tif 000016
【図６】
2012065315.tif 000017